(57)【要約】【課題】雨漏りを防止し、葺設作業が容易な屋根用桟瓦を提供すること。【解決方法】瓦１０の桟部１３と尻部１４との角隅部に桟側切込部１５と桟側凹部１６を形成し、瓦本体の差込部１７と頭部２０との角隅部に差込側切込部２１と、該差込側切込部の中に差込部の幅の略半分の幅を有する差込側受け片２２を成形し、差込部の縦端部から差込側受け片の上端部及び差込側受け片の内端部に沿って水返し１８，２３，２４を連続して凸設して構成する。瓦１０を葺設するときは桟側切込部に斜め上段の瓦の差込側切込部を遊嵌し、桟側凹部の下に斜め上段の瓦の差込側受け片を潜り入れる。登り足調整によって斜め下段の瓦の桟側凹部によって覆われていた差込側受け片が露呈しても、差込部を伝って流れ落ちる雨水は水返しで遮られて差込側受け片には侵入しない。そのため、雨水が瓦の裏面に侵入する雨漏りの原因を防止できる。【選択図】図１
2007032041.tif 000002
【特許請求の範囲】
【請求項１】
瓦本体の桟部と尻部との角隅部に桟側切込部と桟側凹部を形成し、瓦本体の差込部と頭部との角隅部に差込側切込部と、該差込側切込部の中に差込部の幅の略半分の幅を有する差込側受け片を成形し、差込部の縦端部から差込側受け片の上端部及び差込側受け片の内端部に沿って水返しを連続して凸設し、瓦を葺設するとき桟側切込部に斜め上段の瓦の差込側切込部を遊嵌し、桟側凹部の下に斜め上段の瓦の差込側受け片を潜り入れるようにしたことを特徴とする屋根用桟瓦。
【発明の詳細な説明】
【技術分野】
【０００１】
本発明は屋根用桟瓦に関する。
【背景技術】
【０００２】
屋根用桟瓦の一形式として、特開２００４−２７６８６号には瓦本体の桟部と尻部との角隅部に桟側凹部を形成し、瓦本体の差込部と頭部との角隅部に差込側切込部と、該差込側切込部の中に差込側受け片を成形し、瓦を葺設するとき桟側凹部に斜め上段の瓦の差込側切込部を遊嵌し、斜め上段の瓦の差込側受け片を斜め下段の瓦の桟側凹部の下に潜り入れるようにした屋根用桟瓦が開示されている。
【特許文献１】特開２００４−２７６８６号
【発明の開示】
【発明が解決しようとする課題】
【０００３】
上記した従来の瓦では登り足調整を行ったとき、すなわち一の瓦に対し斜め上段の瓦を屋根の勾配に沿って上下方向へ移動して瓦の位置を調整したとき、下段の瓦の桟側凹部に覆われていた差込側受け片が露呈し、下段の瓦の桟側凹部に接触する。そのため、斜め上段の瓦の差込部を伝って差込側受け片に侵入した雨水が、差込側受け片に接触している斜め下段の瓦の桟側凹部に伝わり、下段の瓦の裏面側へ侵入して雨漏りの原因となるおそれがある。
また、差込側受け片は瓦本体の厚みの略半分の薄さに、そして幅が差込部と略同幅に形成されているので、欠け易く、そのため瓦の葺設作業が面倒になる。
本発明はかかる問題点に鑑み、雨漏りを防止し、葺設作業が容易な屋根用桟瓦を提供することを目的とする。
【課題を解決するための手段】
【０００４】
本発明に係る屋根用桟瓦は、瓦本体の桟部と尻部との角隅部に桟側切込部と桟側凹部を形成し、瓦本体の差込部と頭部との角隅部に差込側切込部と、該差込側切込部の中に差込部の幅の略半分の幅を有する差込側受け片を成形し、差込部の縦端部から差込側受け片の上端部及び差込側受け片の内端部に沿って水返しを連続して凸設し、瓦を葺設するとき桟側切込部に斜め上段の瓦の差込側切込部を遊嵌し、桟側凹部の下に斜め上段の瓦の差込側受け片を潜り入れるようにしたことを特徴とする。
【発明の効果】
【０００５】
本発明によれば、差込部の縦端部から差込側受け片の上端部及び差込側受け片の内端部に沿って水返しを連続して凸設したので、斜め下段の瓦の桟側凹部によって覆われていた差込側受け片が登り足調整によって露呈しても、差込部を伝って流れ落ちる雨水は差込側受け片の上端部と内端部に沿って設けられた水返しで遮られて差込側受け片には侵入しない。そのため、差込側受け片から、これと接触する桟側凹部を伝って雨水が瓦の裏面に侵入して雨漏りの原因となるのを防止できる。
また、差込側受け片の幅を差込部の幅の略半分としたので、葺設時に差込側受け片が欠け難くなり、葺設作業が容易になる。
【発明を実施するための最良の形態】
【０００６】
桟側の略半分が逆椀型の緩やかな山部に成形され、差込側の略半分を平坦面に成形した瓦本体の桟部と尻部との角隅部に桟側切込部と桟側凹部を形成し、瓦本体の差込部と頭部との角隅部に差込側切込部と、該差込側切込部の中に差込部の幅の略半分の幅を有する差込側受け片を成形し、差込部の縦端部から差込側受け片の上端部及び差込側受け片の内端部に沿って水返しを連続して凸設する。
瓦を葺設する際には、桟側切込部に斜め上段の瓦の差込側切込部を遊嵌して、桟側凹部の下に斜め上段の瓦の差込側受け片を潜り入れるように構成する。
【実施例】
【０００７】
以下に本発明を図面に基づき説明するに、図１は本発明の一実施形態に係る屋根用桟瓦１０を示す平面図、図２は同屋根用桟瓦の表面を示す斜視図、図３は同屋根用桟瓦の裏面を示す斜視図である。当該桟瓦１０は平面視略矩形の瓦本体形状を有し、桟側の略半分が逆椀型の緩やかな山部１１に成形され、差込側の略半分は平坦面１２に成形されている。
【０００８】
桟部１３と尻部１４との角隅部には桟側切込部１５が形成され、同角隅部の裏側に平坦な桟側凹部１６が形成されている。
【０００９】
桟瓦１０の平坦面１２に差込部１７が上向きに反り返るように連設されている。差込部１７の側縁から尻部１４の側縁にかけては連続して水返し１８，１９が突設されている。瓦本体１０の差込部１７と頭部２０の角隅部には差込側切込部２１と差込側受け片２２が形成されている。
【００１０】
差込側受け片２２は差込部１７の頭部側端部に連設され、差込部１７の表面から陥没している。差込側受け片２２の幅は差込部１７の幅の略半分に成形され、幅の狭い差込部１７ａの外側に配置されている。
【００１１】
差込側受け片２２の上端部と内端部に沿って水返し２３，２４が凸設されている。水返し２３は平面視三角形を有し、差込部１７表面を伝って流れ下る雨水を水返し２４の内側の幅の狭い差込部１７ａへと導くため、水返し１８と水返し２４を連結するように連続して設けられている。
【００１２】
差込部１７と平坦面１２との境界部には縦に延びる水返し２５，２６と斜めの水返し２７，２８からなる２組の雨水ガイド片が設けられ、差込部１７の表面を伝う雨水がこのガイド片によって平坦面へと導かれるように配置されている。
【００１３】
本実施形態に係る屋根用桟瓦１０の構造は以上の通りであって、該桟瓦１０を葺設するには、図４に模式的に示すように、まず瓦１０Ａの差込部１７に瓦１０Ｂの桟部１３を被せる。ついで、瓦１０Ｂの桟側切込部１５に斜め上段の瓦１０Ｃの差込側切込部２１を遊嵌し、瓦１０Ｂの桟側凹部１６の下に瓦１０Ｃの差込側受け片２２を潜り込ませる。
【００１４】
瓦１０Ｃの登り足調整を行うには、図５に示すように瓦１０Ｃを屋根の勾配に沿って上方へ移動する。これにより、瓦１０Ｂの桟側凹部１６の下に隠れていた瓦１０Ｃの差込側受け片２２が露呈するが、瓦１０Ｃの差込部１７を伝う雨水は図に矢印Ａで示すように水返し１８、水返し２３、水返し２４及び水返し２６によって区画される通路を通って瓦１０Ａの差込部へと流れ落ちるので、差込側受け片２２へ侵入することはない。
【００１５】
このように本実施例では、差込部１７の縦端部から差込側受け片２２の上端部及び差込側受け片２２の内端部に沿って水返し１８，２３，２４を連続して凸設したので、斜め下段の瓦１０Ｂの桟側凹部１５によって覆われていた差込側受け片２２が登り足調整によって露呈しても、差込部１７を伝って流れ落ちる雨水は差込側受け片２２の上端部と内端部に沿って設けられた水返し２３，２４で遮られて差込側受け片２２には侵入しない。そのため、差込側受け片２２から、これと接触する桟側凹部１６を伝って雨水が瓦１０Ｂの裏面に侵入して雨漏りの原因となるのを防止できる。
また、差込側受け片２２の幅を差込部１７の幅の略半分としたので、葺設時に差込側受け片２２が欠け難くなり、葺設作業が容易になる。
【図面の簡単な説明】
【００１６】
【図１】本発明の実施例に係る屋根用桟瓦を示す平面図である。
【図２】同屋根用桟瓦の表側から見た斜視図である。
【図３】同屋根用桟瓦の裏側から見た斜視図である。
【図４】同屋根用桟瓦の葺設の手順を示す説明図である。
【図５】同屋根用桟瓦の登り足調整を示す説明図である。
【符号の説明】
【００１７】
１０…屋根用桟瓦、１１…山部、１２…平坦面、１３…桟部、１４…尻部、１５…桟側切込部、１６…桟側凹部、１７…差込部、１８，１９，２３，２４，２５，２６，２７，２８…水返し、２０…頭部、２１…差込側切込部、２２…差込側受け片。
【図１】
2007032041.tif 000003
【図２】
2007032041.tif 000004
【図３】
2007032041.tif 000005
【図４】
2007032041.tif 000006
【図５】
2007032041.tif 000007